(57)【要約】      （修正有）【課題】不均化反応を起こすおそれのある冷媒に対してどのような作業を行うべきかを、作業者が直ちに把握できるようにすることができる冷凍装置の室外機を提供する。【解決手段】室外機ケーシングは、冷媒回路に冷媒配管を介して接続された構成機器の一部を配置する。ラベル50は、室外機ケーシングに設けられ、冷媒回路に使用される冷媒に関する情報が表示されている。冷媒は、不均化反応を起こす性質を有するフッ化炭化水素を含む冷媒であって、冷媒に関する情報は、空気調和装置の据付時に冷媒配管から空気を排出する真空引き作業の実施を促す作業情報52を含む。【選択図】図４
2018132250.tif 000002
【特許請求の範囲】
【請求項１】
冷媒回路（20）を有する冷凍装置の室外機であって、
上記冷媒回路（20）に配管（11,12）を介して接続された構成機器の一部を配置する室外機ケーシング（31）と、
上記室外機ケーシング（31）に設けられ、上記冷媒回路（20）に使用される冷媒に関する情報が表示されたラベル（50）と
を備え、
上記冷媒は、不均化反応を起こす性質を有するフッ化炭化水素を含む冷媒であって、
上記冷媒に関する情報は、上記室外機（30）の据付時に上記配管（11,12）から空気を排出する真空引き作業の実施を促す作業情報（52）、を含む
ことを特徴とする冷凍装置の室外機。
【請求項２】
請求項１において、
上記冷媒に関する情報は、上記冷媒の名称を示す冷媒名情報（51）、を更に含む
ことを特徴とする冷凍装置の室外機。
【請求項３】
請求項１または請求項２において、
上記室外機ケーシング（31）には、上記構成機器に含まれており上記冷媒回路（20）を開閉する開閉弁（27,28）、が露出するように配置され、
上記開閉弁（27,28）を外方から覆うようにして上記室外機ケーシング（31）に対し着脱可能に取り付けられる開閉弁カバー（36）、を更に備え、
上記ラベル（50）は、上記開閉弁カバー（36）が上記室外機ケーシング（31）から外された際に露出するように、上記開閉弁カバー（36）の取り付け位置に対応する上記室外機ケーシング（31）の面上に設けられている
ことを特徴とする冷凍装置の室外機。
【請求項４】
請求項１から請求項３のいずれか１項において、
上記冷媒に関する情報は、上記室外機（30）の据付時に上記真空引き作業が正常に実施されなかった場合に引き起こされる可能性のある現象を説明するための注意情報（53）、を更に含む
ことを特徴とする冷凍装置の室外機。
【請求項５】
請求項１から請求項４のいずれか１項において、
上記冷媒は、ＨＦＯ−１１２３を含む冷媒である
ことを特徴とする冷凍装置の室外機。
【発明の詳細な説明】
【技術分野】
【０００１】
本発明は、冷凍装置の室外機に関するものである。
【背景技術】
【０００２】
空気調和装置等の冷凍装置は、室内機と室外機とが冷媒配管を介して接続されて構成されている。冷媒配管内には冷媒が充填され、冷媒は室内機と室外機との間を循環する。
【０００３】
近年、冷凍装置に使用される冷媒の種類は多義に亘っている。それ故、特許文献１及び特許文献２に開示されているように、使用する冷媒名を室外機に表記することが一般的に行われている。
【先行技術文献】
【特許文献】
【０００４】
【特許文献１】特開平１０−３１１６２９号公報
【特許文献２】特許第５９６８２８１号公報
【発明の概要】
【発明が解決しようとする課題】
【０００５】
冷媒の中には、オゾン層への影響及び地球温暖化への影響が共に少ない反面、高圧高温の条件下で何らかのエネルギーが加わると、圧力及び温度が急激に上昇して不均化反応（自己分解反応）が発生する性質の冷媒が存在する。ここで、不均化反応とは、同一種類の分子が互いに反応し、異なる生成物を与える化学反応である。このような冷媒を用いた冷凍装置において不均化反応が発生した場合、冷媒配管等が破裂し、充填されていた冷媒が冷媒配管外へ流出する虞がある。
【０００６】
これに対し、特許文献１，２に開示されているように、使用する冷媒名が室外機に表されている場合、作業者は、使用されている冷媒が何かを把握できる。しかしながら、この冷媒名の表記を以てしても、作業者は、具体的にどのような作業を行えば不均化反応の発生を防止できるのかを把握することは困難である。
【０００７】
本発明は、かかる点に鑑みてなされたものであり、その目的は、上記冷媒に対してどのような作業を行うべきかを、作業者が直ちに把握できるようにすることにある。
【課題を解決するための手段】
【０００８】
第１の発明は、冷媒回路（20）を有する冷凍装置の室外機であって、上記冷媒回路（20）に配管（11,12）を介して接続された構成機器の一部を配置する室外機ケーシング（31）と、上記室外機ケーシング（31）に設けられ、上記冷媒回路（20）に使用される冷媒に関する情報が表示されたラベル（50）とを備え、上記冷媒は、不均化反応を起こす性質を有するフッ化炭化水素を含む冷媒であって、上記冷媒に関する情報は、上記室外機（30）の据付時に上記配管（11,12）から空気を排出する真空引き作業の実施を促す作業情報（52）、を含むことを特徴とする冷凍装置の室外機である。
【０００９】
ここでは、室外機（30）の据付時に真空引き作業の実施を促す旨が表示されたラベル（50）が、室外機ケーシング（31）に設けられている。真空引き作業とは、配管（11,12）から空気を排出する作業である。これにより、作業者は、室外機（30）の据付時、真空引き作業の実施が必須であることをラベル（50）から直ちに把握することができ、真空引き作業を忘れずに実施することができる。上記冷媒の不均化反応は、この真空引き作業が不十分または不実施の場合に発生することが多いが、ここでは、その発生のおそれを回避することができる。何故ならば、真空引き作業が不実施または不十分であって配管（11,12）内に空気が混入していると、圧縮機において圧縮空気の温度上昇に伴い吐出温度が高くなり、上記冷媒の不均化反応が引き起こされるからである。つまり、ここでは、ラベル（50）により上記冷媒の不均化反応の発生を回避することができる。
【００１０】
第２の発明は、第１の発明において、上記冷媒に関する情報は、上記冷媒の名称を示す冷媒名情報（51）、を更に含むことを特徴とする冷凍装置の室外機である。
【００１１】
これにより、作業者は、使用されている冷媒が何であるかも把握することができる。
【００１２】
第３の発明は、第１の発明または第２の発明において、上記室外機ケーシング（31）には、上記構成機器に含まれており上記冷媒回路（20）を開閉する開閉弁（27,28）、が露出するように配置され、上記開閉弁（27,28）を外方から覆うようにして上記室外機ケーシング（31）に対し着脱可能に取り付けられる開閉弁カバー（36）、を更に備え、上記ラベル（50）は、上記開閉弁カバー（36）が上記室外機ケーシング（31）から外された際に露出するように、上記開閉弁カバー（36）の取り付け位置に対応する上記室外機ケーシング（31）の面上に設けられていることを特徴とする冷凍装置の室外機である。
【００１３】
仮に、ラベル（50）が開閉弁カバー（36）に設けられていると、開閉弁カバー（36）を室外機ケーシング（31）から外した場合には作業対象が室外機ケーシング（31）となるため、作業者は、ラベル（50）を目視しなくなる可能性がある。これに対しここでは、ラベル（50）は、開閉弁カバー（36）が室外機ケーシング（31）から外された際に露出するように、開閉弁カバー（36）の取り付け位置に対応する室外機ケーシング（31）の面上に設けられている。これにより、作業者が開閉弁カバー（36）を室外機ケーシング（31）から外して室外機ケーシング（31）に対し作業を行っていても、作業者は、ラベル（50）を必ず目視することができる。従って、作業者は、真空引き作業を忘れずに行うことができる。また、開閉弁カバー（36）が室外機ケーシング（31）に取り付けられている際、ラベル（50）は、開閉弁カバー（36）によって覆われている。そのため、ラベル（50）が外気に晒されてラベル（50）の表示が風化することを防止できる。
【００１４】
第４の発明は、第１の発明から第３の発明のいずれか１項において、上記冷媒に関する情報は、上記室外機（30）の据付時に上記真空引き作業が正常に実施されなかった場合に引き起こされる可能性のある現象を説明するための注意情報（53）、を更に含むことを特徴とする冷凍装置の室外機である。
【００１５】
これにより、作業者は、室外機（30）の据付時の真空引き作業が如何に重要であるかを、ラベル（50）から把握することができる。
【００１６】
第５の発明は、第１の発明から第４の発明のいずれか１項において、上記冷媒は、ＨＦＯ−１１２３を含む冷媒であることを特徴とする冷凍装置の室外機である。
【００１７】
ここでは、冷媒として、ＨＦＯ−１１２３を含む冷媒が用いられる。ＨＦＯ−１１２３は、大気中のＯＨラジカルによって分解され易いため、オゾン層への影響や地球温暖化の影響も小さい。また、ＨＦＯ−１１２３を含む冷媒を用いることで、冷凍装置の冷凍サイクルの性能も向上する。
【発明の効果】
【００１８】
本発明によれば、作業者は、室外機（30）の据付時、真空引き作業の実施が必須であることをラベル（50）から直ちに把握することができ、真空引き作業を忘れずに実施することができる。従って、冷媒の不均化反応の発生を回避することができる。
【００１９】
また、真空引きにより冷媒回路(20)を真空とすることで、冷媒回路(20)の内部に残存していた水分を除去する効果も得られる。ＨＦＯ−１１２３は水分混入時に加水分解を起こしやすい性質を持つため、冷凍装置内部に腐食を及ぼす可能性があるが、この真空引き作業によって、水分が除去され、腐食を回避することも可能となる。
【図面の簡単な説明】
【００２０】
【図１】図１は、冷媒回路の構成図である。
【図２】図２は、冷凍装置の室外機の外観図である。
【図３】図３は、室外機ケーシングから閉鎖弁カバーを外した状態を表す図である。
【図４】図４は、ラベル表面を表す図である。
【図５】図５は、ラベル表面の他例を示す図である。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
≪実施形態≫
＜構成＞
本実施形態では、冷凍装置が、室内の冷房及び暖房を行う空気調和装置（10）である場合を例に取る。図１に示すように、空気調和装置（10）は、室外機（30）と室内機（40）とを備える。室外機（30）及び室内機（40）内の複数の構成機器が冷媒配管（11,12）（配管に相当）によって接続されることにより、冷媒回路（20）が構成されている。冷媒回路（20）には冷媒が充填されている。
【００２３】
具体的に、冷媒回路（20）の構成機器としては、圧縮機（21）、四方切換弁（22）、室外熱交換器（23）、膨張弁（24）、室内熱交換器（25）、アキュムレータ（26）、開閉弁に相当する液側閉鎖弁（27）及びガス側閉鎖弁（28）が含まれる。このうち、室外機（30）には、圧縮機（21）、四方切換弁（22）、室外熱交換器（23）、膨張弁（24）、アキュムレータ（26）、液側閉鎖弁（27）及びガス側閉鎖弁（28）が配置されている。室内機（40）には、室内熱交換器（25）が配置されている。
【００２４】
圧縮機（21）は、回転数（容量）を変更可能なインバータ式の回転式圧縮機である。圧縮機（21）は、冷媒を圧縮して吐出する。
【００２５】
四方切換弁（22）は、圧縮機（21）の吐出側と接続する第１ポートと、圧縮機（21）の吸入側と接続する第２ポートと、ガス側閉鎖弁（28）を介して室内熱交換器（25）のガス側端部と繋がる第３ポートと、室外熱交換器（23）のガス側端部と繋がる第４ポートとを有する。四方切換弁（22）は、第１ポートと第４ポートとが連通し、第２ポートと第３ポートとが連通する第１状態（図１の実線で示す状態）と、第１ポートと第３ポートとが連通し、第２ポートと第４ポートとが連通する第２状態（図１の破線で示す状態）とに切り換わる。
【００２６】
室外熱交換器（23）は、例えばフィンアンドチューブ式で構成されている。室外熱交換器（23）は、その内部を流れる冷媒と室外ファン（図示せず）が搬送する空気とを熱交換させる。室外熱交換器（23）は、冷房運転時には冷媒の凝縮器として機能し、暖房運転時には冷媒の蒸発器として機能する。
【００２７】
膨張弁（24）は、電子膨張弁で構成される。膨張弁（24）は、冷媒を減圧するためのものである。冷媒配管（11）により、膨張弁（24）の一端は、室外熱交換器（23）と接続され、他端は、液側閉鎖弁（27）を介して室内熱交換器（25）と接続されている。
【００２８】
室内熱交換器（25）は、上記室外熱交換器（23）と同様、例えばフィンアンドチューブ式で構成されている。室内熱交換器（25）は、その内部を流れる冷媒と室内ファン（図示せず）が搬送する空気とを熱交換させる。室内熱交換器（25）は、冷房運転時には冷媒の蒸発器として機能し、暖房運転時には冷媒の凝縮器として機能する。
【００２９】
アキュムレータ（26）は、圧縮機（21）の吸入側に設けられている。アキュムレータ（26）は、冷媒を気液分離するとともに、余剰冷媒を貯留する。
【００３０】
液側閉鎖弁（27）は、冷媒配管（11）において、冷媒回路（20）を開閉する弁である。ガス側閉鎖弁（28）は、冷媒配管（12）において、冷媒回路（20）を開閉する弁である。液側閉鎖弁（27）及びガス側閉鎖弁（28）は、電動弁で構成されており、開状態または閉状態のいずれかを採り得る。
【００３１】
＜動作＞
−冷房運転−
冷房運転時、四方切換弁（22）は第１状態となる。圧縮機（21）では、冷媒が圧縮され吐出される。吐出された冷媒は、室外機（30）において、室外熱交換器（23）で凝縮し、その後膨張弁（24）で減圧される。減圧された冷媒は、液側閉鎖弁（27）を通過し、室外機（30）から室内機（40）に流入する。室内機（40）に流入した冷媒は、室内熱交換器（25）で蒸発する。蒸発した冷媒は、室内機（40）から室外機（30）に流入し、ガス側閉鎖弁（28）及びアキュムレータ（26）を介して圧縮機（21）に吸入される。
【００３２】
これにより、室内へは、室内熱交換器（25）で冷却された空気が供給される。
【００３３】
−暖房運転−
暖房運転時、四方切換弁（22）は第２状態となる。圧縮機（21）では、冷媒が圧縮されて吐出される。吐出された冷媒は、ガス側閉鎖弁（28）を通過し、室外機（30）から室内機（40）に流入する。室内機（40）に流入した冷媒は、室内熱交換器（25）で凝縮し、その後室内機（40）から室外機（30）に流入する。室外機（30）に流入した冷媒は、液側閉鎖弁（27）を介して膨張弁（24）に流入し、当該膨張弁（24）にて減圧される。減圧された冷媒は、室外熱交換器（23）にて蒸発する。蒸発した冷媒は、アキュムレータ（26）を介して圧縮機（21）に吸入される。
【００３４】
これにより、室内へは、室内熱交換器（25）で加熱された空気が供給される。
【００３５】
なお、本実施形態では、空気調和装置（10）が冷房及び暖房を行うことが可能な装置である場合を例示しているが、空気調和装置（10）は、冷房専用機であってもよい。この場合、四方切換弁（22）は設けられず、暖房運転は行われない。
【００３６】
＜冷媒について＞
ここで、本実施形態にて使用される冷媒について説明する。
【００３７】
冷媒回路（20）に充填される冷媒としては、不均化反応を起こす性質を有するフッ化炭化水素から成る単一冷媒、または不均化反応を起こす性質を有するフッ化炭化水素と、これ以外の少なくとも１種の冷媒から成る混合冷媒を用いることができる。
【００３８】
不均化反応を起こす性質を有するフッ化炭化水素としては、オゾン層への影響、地球温暖化への影響がともに少なく、ＯＨラジカルによって分解されやすい炭素−炭素二重結合を有するヒドロフルオロオレフィン（ＨＦＯ）を用いることができる。具体的に、このようなＨＦＯ冷媒としては、特開２０１５−７２５７号公報および特開２０１６−２８１１９号公報に記載された、優れた性能を有するトリフルオロエチレン（ＨＦＯ−１１２３）を用いるのが好ましい。また、ＨＦＯ−１１２３以外のＨＦＯ冷媒としては、特開平０４−１１０３８８号公報に記載されている、３，３，３−トリフルオロプロペン（ＨＦＯ−１２４３ｚｆ）、１，３，３，３−テトラフルオロプロペン（ＨＦＯ−１２３４ｚｅ）、２−フルオロプロペン（ＨＦＯ−１２６１ｙｆ）、２，３，３，３−テトラフルオロプロペン（ＨＦＯ−１２３４ｙｆ）、１，１，２−トリフルオロプロペン（ＨＦＯ−１２４３ｙｃ）、特表２００６−５１２４２６号公報に記載されている、１，２，３，３，３−ペンタフルオロプロペン（ＨＦＯ−１２２５ｙｅ）、トランス−１，３，３，３−テトラフルオロプロペン（ＨＦＯ−１２３４ｚｅ（Ｅ））、シス−１，３，３，３−テトラフルオロプロペン（ＨＦＯ−１２３４ｚｅ（Ｚ））のうち、不均化反応を起こす性質を有するものであれば本発明に適用可能である。また、不均化反応を起こす性質を有するフッ化炭化水素として、炭素−炭素三重結合を有するアセチレン系フッ化炭化水素を用いてもよい。
【００３９】
また、不均化反応を起こす性質を有するフッ化炭化水素を含む混合冷媒を用いる場合、上述したＨＦＯ−１１２３を含んでいるのが好ましい。例えば、ＨＦＯ−１１２３とＨＦＣ−３２とから成る混合冷媒を用いることができる。この混合冷媒の組成比は、例えば、ＨＦＯ−１１２３：ＨＦＣ−３２＝４０：６０（単位：重量％）であるのが好ましい。また、ＨＦＯ−１１２３とＨＦＣ−３２とＨＦＯ−１２３４ｙｆとから成る混合冷媒を用いることもできる。この混合冷媒の組成比は、例えば、ＨＦＯ−１１２３：ＨＦＣ−３２：ＨＦＯ−１２３４ｙｆ＝４０：４４：１６（単位：重量％）であるのが好ましい。
【００４０】
また、混合冷媒に含まれる他の冷媒として、適宜、炭化水素（ＨＣ）、ハイドロフルオロカーボン（ＨＦＣ）、ヒドロクロロフルオロオレフィン（ＨＣＦＯ）、クロロフルオロオレフィン（ＣＦＯ）などの、ＨＦＯ−１１２３とともに気化、液化する他の物質を用いてもよい。
【００４１】
ＨＦＣは、性能を向上させる成分であり、オゾン層への影響、地球温暖化への影響がともに少ない。ＨＦＣは、炭素数が５以下であるものを用いるのが好ましい。具体的に、ＨＦＣとしては、ジフルオロメタン（ＨＦＣ−３２）、ジフルオロエタン（ＨＦＣ−１５２ａ）、トリフルオロエタン（ＨＦＣ−１４３）、テトラフルオロエタン（ＨＦＣ−１３４）、ペンタフルオロエタン（ＨＦＣ−１２５）、ペンタフルオロプロパン（ＨＦＣ−２４５ｃａ）、ヘキサフルオロプロパン（ＨＦＣ−２３６ｆａ）、ヘプタフルオロプロパン（ＨＦＣ−２２７ｅａ）、ペンタフルオロブタン（ＨＦＣ−３６５）、ヘプタフルオロシクロペンタン（ＨＦＣＰ）などを用いることができる。中でも、オゾン層への影響、地球温暖化への影響がともに少ない点から、ジフルオロメタン（ＨＦＣ−３２）、１，１−ジフルオロエタン（ＨＦＣ−１５２ａ）、１，１，２，２−テトラフルオロエタン（ＨＦＣ−１３４）、１，１，１，２−テトラフルオロエタン（ＨＦＣ−１３４ａ）およびペンタフルオロエタン（ＨＦＣ−１２５）を用いるのが特に好ましい。これらのＨＦＣを単独で用いてもよいし、２種類以上を組み合わせて用いてもよい。
【００４２】
ＨＣＦＯは、炭素−炭素二重結合を有し、分子中のハロゲンの割合が多く、燃焼性が抑えられた化合物である。ＨＣＦＯとしては、１−クロロ−２，３，３，３−テトラフルオロプロペン（ＨＣＦＯ−１２２４ｙｄ）、１−クロロ−２，２−ジフルオロエチレン（ＨＣＦＯ−１１２２）、１，２−ジクロロフルオロエチレン（ＨＣＦＯ−１１２１）、１−クロロ−２−フルオロエチレン（ＨＣＦＯ−１１３１）、２−クロロ−３，３，３−トリフルオロプロペン（ＨＣＦＯ−１２３３ｘｆ）および１−クロロ−３，３，３−トリフルオロプロペン（ＨＣＦＯ−１２３３ｚｄ）を用いることができる。中でも、特に優れた性能を有するＨＣＦＯ−１２２４ｙｄが好ましく、他には、高い臨界温度、耐久性、成績係数が優れることから、ＨＣＦＯ−１２３３ｚｄが好ましい。ＨＣＦＯ−１２２４ｙｄ以外のＨＣＦＯは、単独で用いてもよいし、２種類以上を組み合わせて用いてもよい。
【００４３】
上述した冷媒は、高圧高温の条件下で何らかのエネルギーが加わると、圧力及び温度が急激に上昇して不均化反応（自己分解反応）が発生する虞がある。不均化反応とは、同一種類の分子が互いに反応し、異なる生成物を与える化学反応である。この現象が生じると、圧縮機（21）の容器や冷媒配管（11,12）は破裂し、冷媒は圧縮機（21）の容器外や冷媒配管（11,12）外に流出してしまう。
【００４４】
この現象の発生を防ぐためには、圧縮機（21）における冷媒の吐出温度の上昇をなるべく抑えることが重要となる。圧縮機（21）における冷媒の圧縮動作により冷媒の温度は上昇するが、この温度上昇の度合いが大きく冷媒の温度が所定温度（不均化反応が発生してしまう温度）を超えると、不均化反応が発生してしまうためである。
【００４５】
しかしながら、冷媒配管（11,12）内を流れる冷媒に空気が混入している場合、圧縮機（21）では冷媒とともに空気が圧縮されて、当該空気の温度も上昇する。すると、圧縮機（21）における吐出温度は、冷媒に空気が混入していない場合に比して必然的に高くなる。それ故、室外機（30）の据付時、冷媒配管（11,12）内に空気が混入することは避けるべきである。
【００４６】
空気の混入を防ぐ手段としては、室外機（30）の据付時に、真空ポンプを用いた真空引き作業を確実に実施することが有効である。真空引き作業とは、冷媒配管（11,12）から空気を排出する作業である。
【００４７】
ところが、室外機（30）を据え付ける実際の現場では、真空引き作業が行われなかったり、真空引き作業が実施されたとしてもフレアの締め込みが不十分であることから真空引き作業後に空気が冷媒配管（11,12）内に侵入してしまったりする可能性がある。
【００４８】
そこで、本実施形態では、室外機（30）の据付時に真空引き作業が確実に実施されるように、室外機（30）にラベル（50）が設けられた構造を採用している。
【００４９】
＜作業者に真空引き作業を確実に促すための構造＞
具体的に、本実施形態に係る室外機（30）は、図２及び図３に示すように、室外機ケーシング（31）と、閉鎖弁カバー（36）（開閉弁カバーに相当）と、ラベル（50）とを備える。
【００５０】
−室外機ケーシング−
室外機ケーシング（31）は、略直方体の形状を有する。室外機ケーシング（31）は、正面側に前板（32）、正面の左側側面に左側板（33）、天面側に天板（34）を有する。加えて、室外機ケーシング（31）は、図２，３では図示していないが、背面側には室外熱交換器（23）に外気を取り込むための開口部が設けられた後板、正面の右側側面に右側板、底面側に底板を、それぞれ有する。なお、前板（32）には、室外機ケーシング（31）内の室外熱交換器（23）にて熱交換を行った後の空気が吹き出される吹き出し開口（32a）が設けられている。
【００５１】
このような室外機ケーシング（31）内部には、冷媒回路（20）の構成機器の一部である圧縮機（21）、四方切換弁（22）、室外熱交換器（23）、膨張弁（24）、アキュムレータ（26）が収容されている。室外機ケーシング（31）の左側板（33）には、冷媒回路（20）の構成機器の一部である液側閉鎖弁（27）及びガス側閉鎖弁（28）が配置されている。
【００５２】
特に、左側板（33）には、図３に示すように、液側閉鎖弁（27）及びガス側閉鎖弁（28）が、左側板（33）の外表面から室外機ケーシング（31）の外部へと突き出るようにして、該左側板（33）の下部に配置されている。左側板（33）の上部、即ち、各閉鎖弁（27,28）よりも天板（34）寄りの左側板（33）の部分には、開口部（33a）が形成されている。開口部（33a）は、室外機ケーシング（31）内部の構成機器にアクセスしたり、室外機ケーシング（31）内から外に延びる部材（電気用配線等）を取り付けたりするための開口である。左側板（33）には、閉鎖弁カバー（36）を固定するための係止孔（33b）及びビス孔（図示せず）それぞれが、複数ずつ形成されている。
【００５３】
−閉鎖弁カバー−
閉鎖弁カバー（36）は、室外機ケーシング（31）の左側板（33）の形状及びサイズに対応した形状を有し、左側板（33）に着脱可能に取り付けられている。閉鎖弁カバー（36）は、室外機ケーシング（31）の左側板（33）に取り付けられた際、当該左側板（33）を室外機（30）の外方から覆う。従って、閉鎖弁カバー（36）が左側板（33）に取り付けられた際、左側板（33）の開口部（33a）及び左側板（33）に位置する両閉鎖弁（27,28）は閉鎖弁カバー（36）によって外方から覆われ、開口部（33a）及び両閉鎖弁（27,28）は室外機（30）外部からは目視できない状態となる。逆に、閉鎖弁カバー（36）が左側板（33）から外された際、開口部（33a）及び両閉鎖弁（27,28）は、左側板（33）において露出した状態となる。
【００５４】
ここで、閉鎖弁カバー（36）の構造を詳述する。図３に示すように、閉鎖弁カバー（36）は、左側板（33）に取り付けられた際、左側板（33）に当接する平坦な板状のカバー周縁部（37）を有する。カバー周縁部（37）に囲まれた閉鎖弁カバー（36）の領域には、膨出部（38）が形成されている。液側閉鎖弁（27）及びガス側閉鎖弁（28）は、膨出部（38）と左側板（33）との間に形成される空間内に収納される。つまり、膨出部（38）は、閉鎖弁カバー（36）を左側板（33）に取り付けた際に両閉鎖弁（27,28）に対応する位置となるように、閉鎖弁カバー（36）の下部に設けられている。カバー周縁部（37）に囲まれた閉鎖弁カバー（36）の領域のうち、膨出部（38）の上部（天板（34）寄り）には、下から順に、虫が侵入しない程度の小さな通風孔（39a）、及び、左側板（33）側に向かって凹んだ取っ手（39b）が形成されている。
【００５５】
図示していないが、左側板（33）に取り付けられる際に左側板（33）側を向く閉鎖弁カバー（36）の面（即ち、閉鎖弁カバー（36）の裏面）には、カバー周縁部（37）の部分に、複数の係止爪が形成されている。各係止爪は、左側板（33）の各係止孔（33b）に対応する位置に形成されている。各係止爪は、閉鎖弁カバー（36）の側部から見た際に約Ｌ字型に形成され、各係止孔（33b）に差し込んで閉鎖弁カバー（36）を持ち上げると左側板（33）の裏面に引っかかる構成になっている。
【００５６】
このような係止爪及び係止孔（33b）により、閉鎖弁カバー（36）は、室外機ケーシング（31）の左側板（33）に簡単に着脱することができる。
【００５７】
−ラベル−
ラベル（50）は、フィルム加工が施された紙や、例えばアルミニウム製の金属平板等で構成されている。ラベル（50）の裏面はシール状となっており、室外機ケーシング（31）の左側板（33）に貼り付けられて該左側板（33）と当接した状態となる。ラベル（50）の表面には、冷媒回路（20）に使用される冷媒に関する情報が表示されている。
【００５８】
図４は、本実施形態に係るラベル（50）の表面の一例を示す。図４に示すように、ラベル（50）には、冷媒に関する情報として、使用する冷媒の種類（名称）を表す冷媒名情報（51）の他、室外機（30）の据付時に作業者に対し真空引き作業の実施を促す旨の作業情報（52）、が表示されている。更に、ラベル（50）には、冷媒に関する情報として、室外機（30）据付時に真空引き作業が正常に実施されなかった場合に引き起こされる可能性のある現象を説明するための注意情報（53）、が表示されている。図４では、注意情報（53）が「冷媒が不均化反応により圧力が異常上昇し破裂の原因となります」と文言にて表されている場合を例示している。
【００５９】
図４のラベル（50）は、図３に示すように、閉鎖弁カバー（36）が室外機ケーシング（31）の左側板（33）から外された際、左側板（33）の外表面上において露出するように、閉鎖弁カバー（36）の取り付け位置に対応する室外機ケーシング（31）の面上に設けられている。具体的に、ラベル（50）は、左側板（33）のうち、液側閉鎖弁（27）及びガス側閉鎖弁（28）付近であって、且つ両閉鎖弁（27,28）の上部且つ開口部（33a）の下部に位置している。
【００６０】
閉鎖弁カバー（36）が室外機ケーシング（31）に取り付けられている状態では、両閉鎖弁（27,28）及びラベル（50）は、閉鎖弁カバー（36）によって左側板（33）の外方から覆われている状態となっている。それ故、作業者は両閉鎖弁（27,28）及びラベル（50）を目視することはできない。
【００６１】
作業者は、室外機（30）の据付時、室外機（30）と室内機（40）とを冷媒配管（11,12）で接続する作業を行うが、この作業を行うあたり、室外機ケーシング（31）から閉鎖弁カバー（36）を外す。すると、両閉鎖弁（27,28）及びラベル（50）に加え、開口部（33a）は、左側板（33）の外表面に露出した状態となる。この状態で、作業者は、各閉鎖弁（27,28）のフレアを緩めたり締めたりする作業を経て、室外機（30）及び室内機（40）の接続作業を行う。
【００６２】
この際、図４に係るラベル（50）は、作業者が必ず目にする両閉鎖弁（27,28）付近に位置している。そのため、作業者は、上記接続作業の際、ラベル（50）に表示された真空引き作業の実施を促す作業情報（52）を必ず目視し、真空引き作業を忘れずに行うことができる。
【００６３】
特に、図４に示すように、本実施形態のラベル（50）には、真空引き作業が確実に行われなかった場合には不均化反応により冷媒配管（11,12）が破裂する可能性のある旨が、注意情報（53）としてラベル（50）に表示されている。上記接続作業の際、この注意情報（53）も、作業情報（52）と共に、作業者は必ず目にする。当該注意情報（53）により、作業者は、心理的に、真空引き作業を慎重に且つ確実に行わなければならないと促される。
【００６４】
＜効果＞
本実施形態では、室外機（30）の据付時に真空引き作業の実施を促す旨が表示されたラベル（50）が、室外機ケーシング（31）に設けられている。真空引き作業とは、配管（11,12）及び室内熱交換器（25）から空気を排出する作業である。これにより、作業者は、空気調和装置（10）の据付時、真空引き作業の実施が必須であることをラベル（50）から直ちに把握することができ、真空引き作業を忘れずに実施することができる。上記冷媒の不均化反応は、この真空引き作業が不十分または不実施の場合に発生することが多いが、ここでは、その発生のおそれを回避することができる。何故ならば、真空引き作業が不実施または不十分であって冷媒配管（11,12）内に空気が混入していると、圧縮機（21）において圧縮空気の温度上昇に伴い吐出温度が高くなり、上記冷媒の不均化反応が引き起こされるからである。つまり、ここでは、ラベル（50）により上記冷媒の不均化反応の発生を回避することができる。
【００６５】
また、真空引きにより冷媒回路(20)を真空とすることで、冷媒回路(20)の内部に残存していた水分を除去する効果も得られる。ＨＦＯ−１１２３は水分混入時に加水分解を起こしやすい性質を持つため、冷凍装置内部に腐食を及ぼす可能性があるが、この真空引き作業によって、水分が除去され、腐食を回避することも可能となる。
【００６６】
また、ラベル（50）には、冷媒の名称を示す冷媒名情報（51）が表示されている。従って、作業者は、使用されている冷媒が何であるのかも把握することができる。
【００６７】
仮に、ラベル（50）が閉鎖弁カバー（36）に設けられていると、閉鎖弁カバー（36）を室外機ケーシング（31）から外した場合には作業対象が室外機ケーシング（31）となるため、作業者は、ラベル（50）を目視しなくなる可能性がある。これに対し本実施形態では、ラベル（50）は、閉鎖弁カバー（36）が室外機ケーシング（31）から外された際に露出するように、閉鎖弁カバー（36）の取り付け位置に対応する室外機ケーシング（31）の面上に設けられている。これにより、作業者が閉鎖弁カバー（36）を室外機ケーシング（31）から外して室外機ケーシング（31）に対し作業を行っていても、作業者は、ラベル（50）を必ず目視することができる。従って、作業者は、真空引き作業を忘れずに行うことができる。
【００６８】
また、閉鎖弁カバー（36）が室外機ケーシング（31）に取り付けられている際、ラベル（50）は、閉鎖弁カバー（36）によって覆われている。そのため、ラベル（50）が外気に晒されてラベル（50）の表示が風化することを防止できる。
【００６９】
また、本実施形態では、ラベル（50）には、室外機（30）の据付時に真空引き作業が正常に実施されなかった場合に引き起こされる可能性のある現象の説明が、注意情報（53）として更に表示されている。つまり、作業者は、真空引き作業が正常に行われなかった場合には上記現象、即ち冷媒において不均化反応が生じて冷媒配管（11,12）が破裂するおそれがあることを、知ることができる。従って、作業者は、室外機（30）の据付時の真空引き作業が如何に重要であるかを、ラベル（50）から把握することができる。
【００７０】
また、本実施形態では、冷媒として、ＨＦＯ−１１２３を含む冷媒が用いられる。ＨＦＯ−１１２３は、大気中のＯＨラジカルによって分解され易いため、オゾン層への影響や地球温暖化の影響も小さい。また、ＨＦＯ−１１２３を含む冷媒を用いることで、冷凍装置の冷凍サイクルの性能も向上する。
【００７１】
≪その他の実施形態≫
ラベル（50）は、左側板（33）に貼り付けるタイプに限定されない。ラベル（50）は、ビスや爪等の固定手段を用いて左側板（33）に取り付けられてもよい。また、ラベル（50）は、左側板（33）に直接刻印する等により、左側板（33）と一体形成されてもよい。
【００７２】
ラベル（50）の位置は、必ずしも閉鎖弁カバー（36）の取り付け位置に対応する室外機ケーシング（31）の面上でなくても良い。また、ラベル（50）の位置は、左側板（33）に限定されず、作業者が室外機（30）の据付時に目視できる箇所であってもよい。例えば、ラベル（50）の位置は、右側板や天板（34）等であってもよい。
【００７３】
図４に示したラベル（50）の表示例は、あくまでも一例である。ラベル（50）に真空引き作業の実施を促す旨の作業情報（52）は、作業者が簡単に把握可能に表示されていれば良く、その表示形態はどのようなものであってもよい。注意情報（53）についても、表示形態は図４に限定されず、作業者が簡単に把握可能な形態であればどのような形態であってもよい。
【００７４】
ラベル（50）には、作業情報（52）は必ず表示されているが、冷媒名情報（51）及び注意情報（53）は必ずしも表示されていなくてもよい。図５には、ラベル（50）の他例として、冷媒名情報（51）及び作業情報（52）は表示されているが、注意情報（53）は表示されていない場合を表している。
【００７５】
図４では、冷媒名情報（51）、作業情報（52）及び注意情報（53）が、１つのラベル（50）に表示されている場合を例示している。しかし、これらの情報（51〜53）は、室外機ケーシング（31）に設けられた別々のラベルに表示されていてもよい。
【産業上の利用可能性】
【００７６】
以上説明したように、本発明は、不均化反応を起こす性質を有するフッ化炭化水素を含む冷媒を使用する冷凍装置の室外機について有用である。
【符号の説明】
【００７７】
10  空気調和装置（冷凍装置）
11,12  冷媒配管（配管）
20  冷媒回路
27  液側閉鎖弁（開閉弁）
28  ガス側閉鎖弁（開閉弁）
30  室外機
31  室外機ケーシング
36  閉鎖弁カバー（開閉弁カバー）
50  ラベル
52  作業情報
53  注意情報
【図１】
2018132250.tif 000003
【図２】
2018132250.tif 000004
【図３】
2018132250.tif 000005
【図４】
2018132250.tif 000006
【図５】
2018132250.tif 000007